(57)【特許請求の範囲】
【請求項１】
透明若しくは半透明材により形成される包装体本体の物品収納部に物品を収納した状態で台紙を接合して組立て、物品を封入するようにして成る包装体であって、
包装体本体と、この包装体本体に対応する台紙に互いに係合する識別係合部を形成し、
上記包装体本体と上記台紙との誤組合せを防止するようにしたことを特徴とする包装体。
【請求項２】
請求項１に記載の包装体において、
上記識別係合部は、収納物品の種類に対応して上記包装体本体と上記台紙に位置を変えて形成するようにしたことを特徴とする包装体。
【請求項３】
請求項１に記載の包装体において、
上記包装体本体側の識別係合部は突部状に形成し、上記台紙側の識別係合部は、上記突部状係合部が嵌挿係合される切欠状若しくは透孔状に形成したことを特徴とする包装体。
【請求項４】
請求項１に記載の包装体において、
上記台紙は不透明材により形成し、上記識別係合部を切欠状若しくは透孔状に形成して、上記包装体本体側の識別係合部とにより透光部を形成したことを特徴とする包装体。
【請求項５】
請求項１に記載の包装体において、
上記包装体本体は、二折される表面板部と裏面板部により形成され、この表裏面板部により上記台紙を挟み込んで接合するようにして成り、上記表面板部と上記裏面板部の何れか一方に突部を形成し、他方にこの突部が嵌合される凹部を形成すると共に上記台紙に上記突部が嵌挿される切欠若しくは透孔を形成し、上記包装体本体と上記台紙との上記識別係合部を構成するようにしたことを特徴とする包装体。
【発明の詳細な説明】
【０００１】
【発明の属する技術分野】
本発明は、物品、例えば電子機器の電源として用いるバッテリーパックを収納して、販売、保管等に供する包装体に関する。
【０００２】
【従来の技術】
物品、特に、前述したバッテリーパック等の小形の物品は、販売等において、物品に塵埃が付着したり、購買者が直接手で触れるのを防止し、また、購買者が保管に便利なように包装体により包装されている。
【０００３】
この包装体は、包装体本体を物品が外部から明確に透視できるように透明プラスチックシート、ほとんどがポリスチレンシートを真空成形により形成し、その物品収納部に物品を収納して接着剤を塗布した台紙に熱接着し、物品を台紙とにより封入包装している。
【０００４】
そして、台紙には、物品の名称、型式、性能、使用方法等が表示されており、物品の外観、性能等を購買者等に視覚で訴えることができるようにしてある。
【０００５】
【発明が解決しようとする課題】
このように、構成される包装体は、包装体本体と台紙とは別体に形成し、物品の封入包装時に合体接合して組立ているが、包装体本体に対し、台紙は大きさが同じであれば合体が可能であり、このため物品を収納した包装体本体に対して、型式、種類が異なる他の物品の性能等を表示した台紙を合体して包装体を組立てしまうおそれがある。
【０００６】
特に、自動包装装置による包装作業において、台紙のストック部に他の台紙が紛れ込むことにより、包装体の誤組立が生じるおそれがある。
【０００７】
本発明はかかる点に鑑みてなされたもので、簡単な構成により包装体本体と台紙の誤組合せが防止され、誤組立による不良品の発生がほぼ完全に除去できるようにした包装体を提供することを目的とする。
【０００８】
【課題を解決するための手段】
上記目的を達成するために本発明は、透明若しくは半透明材により形成される包装体本体の物品収納部に物品を収納した状態で台紙を接合して組立て、物品を封入するようにして成る包装体であって、包装体本体と、この包装体本体に対応する台紙に互いに係合する識別係合部を形成し、包装体本体と台紙との誤組合せを防止するように構成したものである。
【０００９】
また、上記構成において、上記識別係合部は、収納物品の種類に対応して包装体本体と台紙に位置を変えて形成したものである。
【００１０】
また、上記構成において、包装体本体側の識別係合部は突部状に形成し、台紙側の識別係合部は突部状係合部が嵌挿係合される切欠状若しくは透孔状に形成したものである。
【００１１】
また、上記構成において、台紙は不透明材により形成し、識別係合部を切欠状若しくは透孔状に形成して、包装体本体側の識別係合部とにより透光部を形成したものである。
【００１２】
さらに、上記構成において、包装体本体は、二折される表面板部と裏面板部により形成され、この表裏面板部により台紙を挟み込んで接合するようにして成り、表面板部と裏面板部の何れか一方に突部を形成し、他方に突部が嵌合される凹部を形成すると共に台紙に突部が嵌挿される切欠若しくは透孔を形成し、包装体本体と台紙との識別係合部を構成するようにしたものである。
【００１３】
このように構成される本発明による包装体は、包装体本体と台紙とはそれぞれの識別係合部が互いに係合されることにより組合せ合体が可能となって、異なる包装体本体と台紙による誤組立が防止される。
【００１４】
また、包装体本体と台紙との組合せにおいて、収納する物品に応じて複数種類の識別が可能になる。
【００１５】
また、包装体本体と台紙との組合せにおいて誤組合せを光センサーにより検出することができる。
【００１６】
【発明の実施の形態】
以下、本発明の実施の形態を図面を参照して説明する。
【００１７】
この実施の形態は、本発明に係る包装体を、例えばバッテリーパック等の形状及び大きさがほぼ等しいが、種類を事にする物品を包装する包装体として構成したものである。
【００１８】
図１は、この実施の形態の一例の包装体の分解斜視図で、この図において符記号１は包装体全体を示し、この包装体１は包装体本体（以下、単に本体という）２と台紙３から構成されており、以下、この包装体１について説明する。
【００１９】
先ず、本体２は、透明プラスチックシート、例えばポリスチレンシートを真空成形により形成されるもので、表面板部４と裏面板部５とを二折状に連結して形成されている。この本体２の表面板部４の内面側には、裏面板部５との連結部、すなわち、ヒンジ部６寄りに表面側に膨出する物品収納凹部７が形成されて、この物品収納凹部７の両側から自由端方向に延出する凹面部８が形成され、この凹面部８を囲繞して、所要高で一段高い台紙３の嵌合凹面部９が形成されており、この嵌合凹面部９を囲繞する外周縁面部１０は偏平状に形成されている。また、嵌合凹面部９の自由端側には吊具の掛穴１１が外周縁面部１０の高さとほぼ等しい高さの筒状として形成されている。
【００２０】
また、このように形成される表面板部４とヒンジ部６を介して連結される裏面板部５の内面側には、表面板部４の物品収納凹部７と対応して裏面側に膨出する物品収納凹部１２が形成されて、この物品収納凹部１２を囲繞し、表面板部４の凹面部８から嵌合凹面部９にかけて対応する台紙３の押え凸面部１３が形成され、この押え凸面部１３を囲繞する外周縁面部１４は表面板部４の外周縁面部１０に対応して偏平状に形成されていてる。
【００２１】
また、この裏面板部５の自由端部側には、表面板部４側の掛穴１１に対応して掛穴１５が形成されており、前述した押え凸面部１３は掛穴１５の形成部面を避けて形成され、この押え凸面部１３には、物品収納凹部１２側から両側部に連通する溝部１６が形成されている。
【００２２】
次に、台紙３は、例えば、厚紙によって形成されるもので、前述した本体２の表面板部４側の嵌合凹面部９に嵌合される大きさの表面部２１と裏面部２２とをヒンジ部２３を介して二折状に連結して形成されている。この表面部２１と裏面部２２に跨ってヒンジ部２３を中心として対称に、前述した本体２の表面板部４及び裏面板部５の物品収納凹部７及び１２に対応する窓孔２４が形成されている。また、この表面部２１及び裏面部２２の自端側には、本体２の表面板部４側の筒状掛穴１１に嵌挿される透孔２５及び２６が形成されている。
【００２３】
この台紙３の表面部２１と裏面部２２の外面側には、包装する物品（この実施の形態においては、バッテリーパック）Ａの名称、型式、性能、使用方法等が表示されている。
【００２４】
そして、この実施の形態例においては、前述のように形成される本体２と台紙３には互いに係合する識別係合部３１が形成されている。すなわち、本体２の表面板部４側の嵌合凹面部９の一側部に係合突部３２が突出形成され、この係合突部３２に対応して裏面板部５側の押え凸面部１３の一側部には凹部３３が形成されている。また、台紙３の表面部２１及び裏面部２２の一側部には前述した係合突部３２に係合される係合凹部３４及び３５が切欠状に形成されて前述した識別係合部３１が構成されている。
【００２５】
以上のように構成される包装体本体２と台紙３から成る包装体１により物品Ａを包装するには、先ず、本体２を展開、すなわち、表面板部４と裏面板部５を水平に開いた状態でセットする。このセット状態で表面板部４の物品収納凹部７に物品Ａを嵌合収納する。この物品収納凹部７には物品Ａのほぼ上半部が嵌合されることになる。
【００２６】
次に、台紙３をヒンジ部２３から二折して表面部２２と裏面部２３の互いの内面側を重ね合す。この状態で両面部２２，２３間に跨って形成される窓孔２４はヒンジ部２３側に開放する凹形状になり、自由端部側の透孔２５と２６が連通されると共に一側部に形成された係合凹部３４と３５も重ね合される。この二折台紙３を本体２の表面板部４の嵌合凹面部９に表面部２２側を対応させて嵌合する。
【００２７】
この台紙３の嵌合の際、本体２との間の識別係合部３１が互いに係合される。すなわち、台紙３の一側部の重ね合された係合凹部３４，３５が図４に示すように、本体２側の嵌合凹面部９の一側部に形成された係合突部３２に係合されて、この台紙３は、凹形状の窓孔２４が表面板部４の物品収納凹部７から突出された状態の物品Ａの下半部側に挟挿された状態で嵌合凹面部９に表面部２２が密接するように嵌合される。この状態で自由端部側の重ね合された透孔２５，２６は、図２に示すように、表面板部４の自由端部側の筒状掛穴１１に嵌挿される。
【００２８】
このように、台紙３を本体２の表面板部４の嵌合凹面部９に嵌合した後、本体２の裏面板部５をヒンジ部６から表面板部４側へ１８０°折畳み回動して表面板部４に重ね合す。
【００２９】
この裏面板部５の折畳み回動により、物品収納凹部１２には、図２に示すように、台紙３の窓孔２４から突出される物品Ａの下半部側に嵌合されると共に、図４に示すように、押え凸面部１３が表面板部４の嵌合凹面部９に嵌挿されて一側部の凹部３３が表面板部４側の係合突部３２に嵌合状態で対応し、嵌合凹面部９は、図２〜図４に示すように台紙３の裏面部２２の外面側に圧接され、この状態で表面板部４と裏面板部５の外周縁面部１０と１４が密接される。
【００３０】
この密接された本体２の表面板部４と裏面板部５の外周縁面部１０と１４を超音波にて溶接することにより、物品Ａの収納包装が完了する。
【００３１】
このように、包装体本体２に物品Ａと共に収納保持される台紙３は、物品Ａと共に表面板部４及び裏面板部５を通して透視できるが、台紙３の表面部２２の外面側は、周縁部を除く中央部は表面板部４の凹面部８に対応し、表面板部４から所要の空隙をもって離れているため、表面板部４の表面反射の影響が少なく、また、表面板部４と空隙によりレンズを構成する状態になって表示を明確に確認できる。
【００３２】
また、裏面板部５の押え凸面部１３に溝部１６を形成したことにより、押え凸面部１３を表面板部４の嵌合凹面部９に嵌挿する際に、空気が逃げることになり、この嵌挿、すなわち、表面板部４に対する裏面板部５の重ね合せが円滑に行える。
【００３３】
そして、この実施の形態における最大の特徴は、物品Ａの包装において、包装体１の誤組立となる包装体本体２に対する台紙３の誤収納を防止するものである。すなわち、本体２に対し台紙３を表裏反転して収納しようとする場合はもとより、収納する物品Ａと異なる表示がなされた他の物品に対応する台紙を収納しようとするときは、この台紙を本体１に対して嵌合収納不能となるものである。
【００３４】
すなわち、包装体本体２の表面板部４の嵌合凹面部９に台紙３を嵌合セットする時点で、異なる台紙３の場合は、図５に示すように、係合凹部２４，２５が嵌合凹面部９の係合突部３２に係合されず、この係合突部３２に台紙３の縁部が乗り上げることになって、台紙３を嵌合凹面部９の定位置まで嵌合セットすることはできず台紙３の誤収納、すなわちミスマッチが確実に防止されることになる。
【００３５】
このように、包装体本体２に対する台紙３の誤収納が防止されるように構成したことにより、包装体１による物品Ａの自動包装が一層確実に行えることになる。
【００３６】
そして、以上のように構成されるこの実施の形態の一例において、包装体１の識別係合部３１の形成位置、すなわち、包装体本体２の表面板部４に形成する係合突部３２、裏面板部５に形成する凹部３３及び台紙３の表裏面部２１，２２に形成する係合凹部３４，３５の形成位置を、図１に二点鎖線で示すように変えることにより、複数種の識別が可能になる。この図１に示す場合は、６種の識別を実施できることになる。
【００３７】
また、包装体本体２の表面板部４の嵌合凹面部９、裏面板部５の押え凸面部１３及び台紙３の表裏面部２１，２２の夫々の周側面部の全てを利用して係合突部３２、凹部３３及び係合凹部３４，３５を形成することにより、２０〜３０種の識別が可能になる。
【００３８】
図６及び図７は、本発明による包装体の実施の形態の他例を示すもので、この実施の形態の他例の包装体４１は識別係合部５１を前述した実施の形態の一例における包装体１の識別係合部３１と構成を事にして形成したものである。
【００３９】
すなわに、この包装体４１の包装体本体４２及び台紙４３は、前述した包装体１の包装体本体２及び台紙３と同様に形成される。そしてこの識別係合部５１は、包装体本体４２の表面板部４４の嵌合凹面部４５、裏面板部４６の押え凸面部４７及び台紙４３の表裏面部４８，４９の内周面部に識別係合部５１を光検出可能に形成されている。
【００４０】
この識別係合部５１は、透明又は半透明のプラスチックシートにより成形される包装体本体４２の表面板部４４の嵌合凹面部４５に頭截円錐状の係合突部５２を形成し、この係合突部５２に対応して裏面板部４６の押え凸面部４７に透孔５３を形成すると共に、台紙４３の表裏面部４８，４９に前述した係合突部５２及び透孔５３に対応する位置に透孔５４，５５を形成することにより構成されている。
【００４１】
このように構成されるこの包装体４１は、前述した実施の形態の一例と同様に、包装体本体４２の表面板部４４側に物品を、そのほぼ上半部側を嵌合した、台紙４３を二折して表裏面部４８，４９を重ね合せた状態で嵌合凹面部４５に嵌合して連通する透孔５４，５５を係合突部５２に嵌挿した後、包装体本体４２の裏面板部４６側を二折り回動して表面板部４４側に腹合せ状に接合し、物品の下半部側を嵌合すると共に透孔５３を係合突部５２の先端側に嵌挿して押え凸面部４７を台紙４３の裏面部４９の外面側に圧接させて外周縁面部を表面板部４４の外周縁面部に超音波溶接することにより、物品と台紙４３が封入包装される。
【００４２】
このように構成されるこの実施の形態例の包装体４１も前述した包装体１と同様に、自動包装装置により包装作業が行われるが、この包装体４１においては、自動包装装置（図示せず）に、表面板部４４側の係合突部５２に対応して発光素子と受光素子から成る光センサー６０を配設しておき、係合突部５２の光透過状態を識別させて、所定の包装作業が確実に行われる構成とすることができる。
【００４３】
すなわち、包装体本体４２に対して別の台紙４３が送り込まれた場合は、表面板部４４側の係合突部５２に台紙４３側の透孔５４，５５が対応されず、このため係合突部５２の透過光は遮断され、これを光センサー６０が検出して、包装体本体４２と台紙４３との誤組合せを警告音を発する手段等により報知したり、また、自動包装装置の動作を中止させることにより、誤組合せを自動的に防止させることができて、確実な自動包装が行えることになる。
【００４４】
この実施の形態例の包装体４１においても、識別係合部５１の形成位置を図６に二点鎖線で示すように変えることにより、複数種（多数種類）の識別が可能になる。
【００４５】
以上、本発明の実施の形態を説明したが、本発明は、これ等の実施の形態に限定されるものではなく、本発明の趣旨を逸脱しない範囲で種々変更できるものである。
【００４６】
例えば、包装体本体の物品収納凹部の形状は当然のことながら包装物品の大きさ、形状により任意に変えることができるものであり、それに伴い、包装体本体及び台紙の大きさ、形状等も任意に変えることができるものである。
【００４７】
また、台紙は表面部と裏面部とを二折して重ね合せて形成しているが、これを一体にして一枚の紙板により形成してもよく、この場合は厚手の紙板により形成することになり、物品の性能等の表示は表裏両側に印刷することにより行うことになるので、この印刷においては紙板の反転作業を行うことになる。また、この台紙は紙板に限ることなく、樹脂シートにより形成することもできる。そして、包装体本体は表面板部のみにより形成してもよく、この場合は、物品収納部は物品の全体が嵌合収納できるように形成することになり、裏面側は台紙のみにより形成されることになる。
【００４８】
なお、本発明による包装体は、バッテリーパックの包装に限るものではなく、各種の物品の包装に適用できるものである。
【００４９】
【発明の効果】
以上のように本発明による包装体は、物品を収納する物品収納部を形成した包装体本体と、収納物品の性能等を表示し、包装体本体と組合せる台紙に互いに係合する識別係合部を形成したので、包装体本体と台紙との誤組合せ、いわゆるミスマッチが防止されて物品の誤包装のおそれはほぼ完全に解消されて常に確実な物品包装ができて信頼性が著しく向上する。
【００５０】
また、識別係合部の形成位置を変えるだけで多数種類の物品の識別が可能となり、包装体の他物品への転用も可能となってコスト的にも有利になる。
【００５１】
特に、本発明による包装体は自動包装装置による物品の包装作業に適用してその効果が大である。
【図面の簡単な説明】
【図１】本発明による包装体の一例の分解斜視図である。
【図２】図１に示す包装体の包装状態における縦断面図である。
【図３】図１に示す包装体の包装状態における横断面図である。
【図４】図１に示す包装体の包装状態における一側部側の縦断面図である。
【図５】図１に示す包装体において台紙の誤組合せ状態を示す拡大断面図である。
【図６】本発明による包装体の他例の正面図である。
【図７】図６に示す包装体の要部の拡大断面図である。
【符号の説明】
１，４１‥‥包装体、２，４２‥‥本包装体本体、３，４３‥‥台紙、４，４４‥‥表面板部、５，４６‥‥裏面板部、７，１２‥‥物品収納凹部、９，４５‥‥嵌合凹面部、１３，４７‥‥押え凸面部、３１，５１‥‥識別係合部、３２，５２‥‥係合突部、３３‥‥係合凹部、３４，３５‥‥係合凹部、５３‥‥透孔、５４，５５‥‥透孔、Ａ‥‥物品
【図１】
0003972437.tif 000002
【図２】
0003972437.tif 000003
【図３】
0003972437.tif 000004
【図４】
0003972437.tif 000005
【図５】
0003972437.tif 000006
【図６】
0003972437.tif 000007
【図７】
0003972437.tif 000008